(57)【要約】【課題】二つ以上の相異な電圧源を一つの共通電圧源で統合することで、全体製造単価を低減させることができるプラズマディスプレイ装置を提供することにある。【解決手段】本発明の一つの実施形態によるプラズマディスプレイ装置は、スキャン電極を含むプラズマディスプレイパネルと、スキャン電極（Ｙ）に供給される漸進的に立ち上がりする上昇ランプ信号の電圧及び負極性スキャン信号の電圧を一つの(同一)電圧源から発生させる駆動部とを含む。例えば、駆動部は、前記スキャン電極（Ｙ）に供給される漸進的に立ち上がりする上昇ランプ（Ｒａｍｐ−ｕｐ）信号の電圧、漸進的に立下がる下降ランプ（Ｒａｍｐ−ｄｏｗｎ） 信号の電圧及び負極性スキャン信号の電圧を一つの電圧源から発生させるように構成する。【選択図】図４
2007193297.tif 000002
【特許請求の範囲】
【請求項１】
スキャン電極を含むプラズマディスプレイパネルと、
前記スキャン電極に供給される漸進的に立ち上がりする上昇ランプ信号の電圧及び負極性スキャン信号の電圧を一つの(同一)電圧源から発生させる駆動部と、
を含むことを特徴とするプラズマディスプレイ装置。
【請求項２】
前記電圧源は負極性スキャン電圧源であることを特徴とする、請求項１記載のプラズマディスプレイ装置。
【請求項３】
前記負極性スキャン信号の電圧はグラウンドレベル（ＧＮＤ）の電圧から立下がることを特徴とする、請求項１記載のプラズマディスプレイ装置。 
【請求項４】
前記駆動部は、
前記スキャン電極に供給される前記負極性スキャン信号の電圧を制御する負極性スキャン電圧供給制御部と、
前記負極性スキャン電圧により前記上昇ランプ信号を発生させて、制御する上昇ランプ供給制御部と、
を含むことを特徴とする、請求項１記載のプラズマディスプレイ装置。
【請求項５】
前記上昇ランプ供給制御部は、
反転された前記負極性スキャン電圧を貯蔵する反転電圧貯蔵部と、
前記反転電圧貯蔵部の両端に前記反転された負極性スキャン電圧が貯蔵されるように制御する反転電圧供給制御部と、
前記反転電圧貯蔵部に貯蔵された電圧により前記上昇ランプ信号を発生させる上昇ランプ発生部と、
を含むことを特徴とする、請求項４記載のプラズマディスプレイ装置。
【請求項６】
前記反転電圧貯蔵部の他端は前記負極性スキャン電圧供給制御部の一端と繋がれて、
前記反転電圧貯蔵部の一端は前記反転電圧供給制御部の一端及び他端、前記上昇ランプ発生部の一端と共通繋がれて、
前記負極性スキャン電圧供給制御部の他端は接地されることを特徴とする、請求項５記載のプラズマディスプレイ装置。
【請求項７】
前記反転電圧供給制御部の一端及び前記反転電圧貯蔵部の一端の間に接続された第１逆電流防止部をさらに含むことを特徴とする、請求項６記載のプラズマディスプレイ装置。
【請求項８】
前記反転電圧供給制御部の他端と前記上昇ランプ発生部の一端の連結端と前記反転電圧貯蔵部の一端の間に接続された第２逆電流遮断部をさらに含むことを特徴とする、請求項６記載のプラズマディスプレイ装置。
【請求項９】
スキャン電極を含むプラズマディスプレイパネルと、
前記スキャン電極に供給される漸進的に立ち上がりする上昇ランプ（Ｒａｍｐ−ｕｐ）信号の電圧、漸進的に立下がる下降ランプ（Ｒａｍｐ−ｄｏｗｎ）信号の電圧及び負極性スキャン信号の電圧を一つの電圧源から発生させる駆動部と、
を含むことを特徴とするプラズマディスプレイ装置。
【請求項１０】
前記電圧源は負極性スキャン電圧源であることを特徴とする、請求項９記載のプラズマディスプレイ装置。
【請求項１１】
前記負極性スキャン信号はグラウンドレベル（ＧＮＤ）の電圧から立下がることを特徴とする、請求項９記載のプラズマディスプレイ装置。
【請求項１２】
前記駆動部は、
前記スキャン電極に供給される前記負極性スキャン電圧を制御する負極性スキャン電圧供給制御部と、
前記スキャン電極に供給される前記下降ランプ信号を制御する下降ランプ供給制御部と、
前記負極性スキャン電圧により前記上昇ランプ信号を発生させて、制御する上昇ランプ供給制御部と、
を含むことを特徴とする、請求項９記載のプラズマディスプレイ装置。
【請求項１３】
前記上昇ランプ供給制御部は、
反転された前記負極性スキャン電圧を貯蔵する反転電圧貯蔵部と、
前記反転電圧貯蔵部の両端に前記反転された負極性スキャン電圧が貯蔵されるように制御する反転電圧供給制御部と、
前記反転電圧貯蔵部に貯蔵された電圧により前記上昇ランプ信号を発生させる上昇ランプ発生部と、
を含むことを特徴とする、請求項１２記載のプラズマディスプレイ装置。
【請求項１４】
前記反転電圧貯蔵部の他端は前記下降ランプ供給制御部の一端及び前記負極性スキャン電圧供給制御部の一端と共通連結されて、
前記反転電圧貯蔵部の一端は前記反転電圧供給制御部の一端及び他端、前記上昇ランプ発生部の一端と共通繋がれて、
前記下降ランプ供給制御部の他端及び前記負極性スキャン電圧供給制御部の他端は接地されることを特徴とする、請求項１３記載のプラズマディスプレイ装置。
【請求項１５】
前記反転電圧供給制御部の一端及び前記反転電圧貯蔵部の一端の間に接続された第１逆電流防止部をさらに含むことを特徴とする、請求項１４記載のプラズマディスプレイ装置。
【請求項１６】
前記反転電圧供給制御部の他端と前記上昇ランプ発生部の一端の連結端と前記反転電圧貯蔵部の一端の間に接続された第２逆電流遮断部をさらに含むことを特徴とする、請求項１４記載のプラズマディスプレイ装置。
【請求項１７】
リセット区間の間、第１電圧から第２電圧まで立ち上がる上昇ランプ信号をスキャン電極に印加する段階と、
アドレス区間の間、前記第２電圧と実質的に等しい電圧大きさを持つスキャン信号を前記スキャン電極に印加する段階と、
を含むことを特徴とするプラズマディスプレイ装置の駆動方法。
【請求項１８】
前記スキャン信号はグラウンドレベル（ＧＮＤ）の電圧から立下がることを特徴とする、請求項１７記載のプラズマディスプレイ装置の駆動方法。
【請求項１９】
前記第１電圧はサステイン信号の電圧レベルであることを特徴とする、請求項１７記載のプラズマディスプレイ装置の駆動方法。
【発明の詳細な説明】
【技術分野】
【０００１】
本発明はディスプレイ装置に関し、より詳くはプラズマディスプレイ装置及びその駆動方法に関する。
【背景技術】
【０００２】
一般的にディスプレイ装置の内でプラズマディスプレイ装置はプラズマディスプレイパネルとプラズマディスプレイパネルを駆動するための駆動部を含む。
【０００３】
一般的にプラズマディスプレイパネルは前面パネルと背面パネルの間に形成された隔壁が一つの放電セルを成すことで、各放電セル内にはネオン（Ｎｅ）、ヘリウム（Ｈｅ）またはネオン及びヘリウムの混合気体（Ｎｅ＋Ｈｅ）のような主放電気体と少量のキセノン（Ｘｅ）を含む不活性ガスなどが充填されることができる。
【０００４】
このような放電セルが複数集まって一つのピクセル（Ｐｉｘｅｌ）を成す。例えば赤色（Ｒｅｄ、Ｒ）放電セル、緑色（Ｇｒｅｅｎ、Ｇ）放電セル、青色（Ｂｌｕｅ、Ｂ）放電セルが集まって一つのピクセルを成すのである。
【０００５】
そしてこのようなプラズマディスプレイパネルは高周波電圧によって放電される時、不活性ガスは真空紫外線（Ｖａｃｕｕｍ  Ｕｌｔｒａｖｉｏｌｅｔ  ｒａｙｓ）を発生して隔壁の間に形成された蛍光体を発光させて画像が具現される。
【０００６】
このようなプラズマディスプレイパネルは薄く軽い構成が可能なので次世代表示装置として脚光を浴びている。
【０００７】
このようなプラズマディスプレイパネルには複数の電極、例えばスキャン電極（Ｙ）、サステイン電極（Ｚ）、アドレス電極（Ｘ）が形成されて、このような複数の電極に所定の駆動電圧が供給されて放電が発生されることで映像が具現される。
【０００８】
このように、映像の具現のために所定の駆動電圧を供給する駆動部がプラズマディスプレイパネルの電極に接続される。
【０００９】
例えば、プラズマディスプレイパネルの電極の中でアドレス電極（Ｘ）にはデータ駆動部が接続されて、スキャン電極（Ｙ）にはスキャン駆動部が接続されるのである。
【００１０】
このように、複数の電極が形成されたプラズマディスプレイパネルと、このようなプラズマディスプレイパネルの複数の電極に所定の駆動電圧を供給するための駆動部を含む構成をプラズマディスプレイ装置と定義する。
【００１１】
ここで、従来のプラズマディスプレイ装置ではプラズマディスプレイパネルの電極で供給する駆動電圧を発生させるために複数の電圧源を使う。
【００１２】
例えば、プラズマディスプレイパネルのスキャン電極（Ｙ）にサステイン信号のサステイン電圧（Ｖｓ）を供給するためにサステイン電圧源を使って、上昇ランプ（Ｒａｍｐ−Ｕｐ）信号の電圧、すなわちセットアップ電圧を供給するためにセットアップ電圧源を使って、下降ランプ（Ｒａｍｐ−Ｄｏｗｎ）信号の電圧、すなわちセッダウン電圧及びスキャン信号の負極性スキャン電圧を供給するために負極性スキャン電圧源を使う。
【００１３】
このように、従来プラズマディスプレイ装置では複数の電圧源を使うことで、全体駆動が複雑になりながら共にプラズマディスプレイ装置の全体製造単価が上昇する問題点がある。
【発明の開示】
【発明が解決しようとする課題】
【００１４】
本発明の目的は、二つ以上の相異な電圧源を一つの共通電圧源で統合することで、全体製造単価を低減させることができるプラズマディスプレイ装置を提供することにある。
【課題を解決するための手段】
【００１５】
本発明の一つの実施形態によるプラズマディスプレイ装置は、スキャン電極を含むプラズマディスプレイパネルと、スキャン電極に供給される漸進的に立ち上がりする上昇ランプ信号の電圧及び負極性スキャン信号の電圧を一つの(同一)電圧源から発生させる駆動部とを含む。
【００１６】
前記電圧源は負極性スキャン電圧源であることが望ましい。
【００１７】
前記負極性スキャン信号の電圧はグラウンドレベル（ＧＮＤ）の電圧から立下がるのが望ましい。
【００１８】
前記駆動部は、前記スキャン電極に供給される前記負極性スキャン信号の電圧を制御する負極性スキャン電圧供給制御部及び前記負極性スキャン電圧により前記上昇ランプ信号を発生させて、制御する上昇ランプ供給制御部を含む。
【００１９】
前記上昇ランプ供給制御部は、反転された前記負極性スキャン電圧を貯蔵する反転電圧貯蔵部と、前記反転電圧貯蔵部の両端に前記反転された負極性スキャン電圧が貯蔵されるように制御する反転電圧供給制御部と、前記反転電圧貯蔵部に貯蔵された電圧により前記上昇ランプ信号を発生させる上昇ランプ発生部とを含む。
【００２０】
前記反転電圧貯蔵部の他端は前記負極性スキャン電圧供給制御部の一端と繋がれて、前記反転電圧貯蔵部の一端は前記反転電圧供給制御部の一端及び他端、前記上昇ランプ発生部の一端と共通繋がれて、前記負極性スキャン電圧供給制御部の他端は接地される。
【００２１】
前記反転電圧供給制御部の一端及び前記反転電圧貯蔵部の一端の間に接続された第１逆電流防止部をさらに含む。
【００２２】
前記反転電圧供給制御部の他端と前記上昇ランプ発生部の一端の連結端と前記反転電圧貯蔵部の一端の間に接続された第２逆電流遮断部をさらに含む。
【００２３】
本発明の他の一つの実施形態によるプラズマディスプレイ装置は、スキャン電極を含むプラズマディスプレイパネルと、前記スキャン電極に供給される漸進的に立ち上がりする上昇ランプ（Ｒａｍｐ−ｕｐ）信号の電圧、漸進的に立下がる下降ランプ（Ｒａｍｐ−ｄｏｗｎ）信号の電圧及び負極性スキャン信号の電圧を一つの電圧源から発生させる駆動部とを含む。
【００２４】
前記電圧源は負極性スキャン電圧源であることが望ましい。
【００２５】
前記負極性スキャン信号はグラウンドレベル（ＧＮＤ）の電圧から立下がるのが望ましい。
【００２６】
前記駆動部は、前記スキャン電極に供給される前記負極性スキャン電圧を制御する負極性スキャン電圧供給制御部と、前記スキャン電極に供給される前記下降ランプ信号を制御する下降ランプ供給制御部と、前記負極性スキャン電圧により前記上昇ランプ信号を発生させて、制御する上昇ランプ供給制御部を含む。
【００２７】
前記上昇ランプ供給制御部は、反転された前記負極性スキャン電圧を貯蔵する反転電圧貯蔵部と、前記反転電圧貯蔵部の両端に前記反転された負極性スキャン電圧が貯蔵されるように制御する反転電圧供給制御部と、前記反転電圧貯蔵部に貯蔵された電圧により前記上昇ランプ信号を発生させる上昇ランプ発生部とを含む。
【００２８】
前記反転電圧貯蔵部の他端は前記下降ランプ供給制御部の一端及び前記負極性スキャン電圧供給制御部の一端と共通連結されて、前記反転電圧貯蔵部の一端は前記反転電圧供給制御部の一端及び他端、前記上昇ランプ発生部の一端と共通繋がれて、前記下降ランプ供給制御部の他端及び前記負極性スキャン電圧供給制御部の他端は接地される。
【００２９】
前記反転電圧供給制御部の一端及び前記反転電圧貯蔵部の一端の間に接続された第１逆電流防止部をさらに含む。
【００３０】
前記反転電圧供給制御部の他端と前記上昇ランプ発生部の一端の連結端と前記反転電圧貯蔵部の一端の間に接続された第２逆電流遮断部をさらに含む。
【００３１】
本発明のまた他の一つの実施形態によるプラズマディスプレイ装置の駆動方法は、リセット区間の間第１電圧から第２電圧位立ち上がる上昇ランプ信号をスキャン電極に印加する段階、及び、アドレス区間の間前記第２電圧と実質的に等しい電圧大きさを持つスキャン信号を前記スキャン電極に印加する段階を含む。
【００３２】
前記スキャン信号はグラウンドレベル（ＧＮＤ）の電圧から立下がるのが望ましい。
【００３３】
前記第１電圧はサステイン信号の電圧レベルであることが望ましい。
【発明の効果】
【００３４】
本発明は全体駆動を単純化すると共にプラズマディスプレイ装置の全体製造単価を低める効果がある。
【００３５】
また、本発明はノイズ（Ｎｏｉｓｅ）の発生を低減させる効果がある。
【発明を実施するための最良の形態】
【００３６】
以下では本発明の一つの実施形態による具体的な実施形態を添付された図面を参照して説明する。
【００３７】
図１は本発明の一つの実施形態によるプラズマディスプレイ装置を説明するための図である。
【００３８】
図１を注意深くみれば、本発明の一つの実施形態によるプラズマディスプレイ装置はプラズマディスプレイパネル１００と駆動部１０１とを含む。
【００３９】
ここで、図１では駆動部１０１をひとつであるのを示しているが、プラズマディスプレイパネル１００に形成される電極によって複数個に分割されることもできる。
【００４０】
例えば、プラズマディスプレイパネル１００にアドレス電極（Ｘ）、スキャン電極（Ｙ）、 サステイン電極（Ｚ）が形成される場合に、駆動部１０１は、図示しなかったがデータ駆動部、スキャン駆動部、サステイン駆動部に分割されることができるのである。
【００４１】
ここで、プラズマディスプレイパネルの一例を添付された図２ａ乃至図２ｂを参照して注意深くみれば次のようである。
【００４２】
図２ａ乃至図２ｂは本発明の一つの実施形態によるプラズマディスプレイ装置に含まれるプラズマディスプレイパネルの一例に対して説明するための図である。
【００４３】
先ず、図２ａを注意深くみればプラズマディスプレイパネルは、画像がディスプレイされる表示面である前面基板２０１にスキャン電極（２０２、Ｙ）とサステイン電極（２０３、Ｚ）が形成された前面パネル２００、及び、背面を成す背面基板２１１上に前述のスキャン電極２０２とサステイン電極２０３と交差されるようにアドレス電極（２１３、Ｘ）が形成された背面パネル２１０が一定距離を間に置いて並んで結合される。
【００４４】
前面パネル２００には、放電空間、すなわち放電セル（Ｃｅｌｌ）で相互放電させて放電セルの発光を維持するためのスキャン電極２０２とサステイン電極２０３が含まれる。
【００４５】
スキャン電極２０２とサステイン電極２０３は、放電電流を制限して電極対の間を絶縁さる一つ以上の上部誘電体層２０４によって覆わせられて、上部誘電体層２０４上面には放電条件を容易くするための保護層２０５が形成される。
【００４６】
このような保護層２０５は酸化マグネシウム（ＭｇＯ）などの材料を上部誘電体層２０４上部に蒸着する方法などを通じて形成される。
【００４７】
背面パネル２１０は、複数個の放電空間すなわち、放電セルを区切るためのストライプタイプ(またはウェルタイプ)の隔壁２１２を含む。また、データ信号を供給するための複数のアドレス電極２１３が配置される。
【００４８】
ここで、隔壁によって区画された放電セル内には、アドレス放電時画像表示のための可視光を放出する蛍光体層２１４、望ましくは赤色（Ｒｅｄ ：Ｒ）、 緑色（Ｇｒｅｅｎ ：Ｇ）、 青色（Ｂｌｕｅ ：Ｂ）蛍光体層が形成される。
【００４９】
そしてアドレス電極２１３と蛍光体層２１４の間にはアドレス電極２１３を絶縁させるための下部誘電体層２１５が形成される。
【００５０】
ここで、スキャン電極２０２とサステイン電極２０３は伝導性金属材質からなることが望ましい。例えば、銀（Ａｇ）材質またはインジウムティンオキサイド（Ｉｎｄｉｕｍ  Ｔｉｎ  Ｏｘｉｄｅ  ：ＩＴＯ）材質で成すことがある。
【００５１】
特に、光透過率及び電気伝導度を考慮してスキャン電極２０２とサステイン電極２０３を銀材質のバス電極とＩＴＯ材質の透明電極を含むように形成するのが望ましい。これに対してより詳しく注意深くみれば次図２ｂのようである。
【００５２】
ここで、図２ｂでは、図２ａの領域Ａのように前面基板２０１と上部誘電体層２０４の間にスキャン電極２０２とサステイン電極２０３が形成された場合を説明する事にする。
【００５３】
図２ｂを注意深くみれば、本発明のプラズマディスプレイパネルのスキャン電極２０２とサステイン電極２０３は面放電を発生させるために形成されるものであり、放電セル内で発生した光を外部に放出させると共に駆動效率の確保のために透明なＩＴＯ物質に形成された透明電極（２０２ａ、２０３ａ）と、不透明な金属材質に製作されたバス電極（２０２ｂ、２０３ｂ）を含んでからなるのが望ましい。
【００５４】
このように、スキャン電極２０２とサステイン電極２０３が透明電極（２０２ａ、２０３ａ）を含むようにする理由は、放電セル内で発生した可視光がプラズマディスプレイパネルの外部に放出される時効果的に放出されるようにするためである。
【００５５】
また、スキャン電極２０２とサステイン電極２０３がバス電極（２０２ｂ、２０３ｂ）を含むようにする理由は、スキャン電極２０２とサステイン電極２０３が透明電極（２０２ａ、２０３ａ）のみを含む場合には透明電極（２０２ａ、２０３ａ）の電気伝導度が相対的に低いから駆動效率が減少する可能性があり、このような駆動效率の減少を引き起こす可能性がある透明電極（２０２ａ、２０３ａ）の低い電気伝導度を償うためである。
【００５６】
ここで、図２ａ乃至図２ｂでは本発明の一つの実施形態によるプラズマディスプレイ装置の内でプラズマディスプレイパネルの一例のみを示して説明したが、本発明がこれらの図２ａ乃至図２ｂの構造のプラズマディスプレイパネルに限定されるのではないことを明らかにしておく。
【００５７】
例えば、上部誘電体層２０４及び下部誘電体層２１５が一つの層（Ｌａｙｅｒ）の場合のみを示しているが、上部誘電体層２０４及び下部誘電体層２１５の内少なくとも一つ以上は複数の層で成すことも可能なのである。
【００５８】
すなわち、本発明のプラズマディスプレイ装置に適用されることができるプラズマディスプレイパネルはスキャン電極２０２が形成されていれば、その以外の条件は適宜変更可能である。
【００５９】
次に、図２ａ乃至図２ｂに対する説明を終わって、また図１に対して説明する事にする。
【００６０】
図１の符号１０１の駆動部は、初期化のためのリセット期間でスキャン電極（Ｙ）に供給される上昇ランプ（Ｒａｍｐ−ｕｐ）信号及び下降ランプ（Ｒａｍｐ−ｄｏｗｎ）信号の電圧と、リセット期間以後のアドレス期間でスキャン電極（Ｙ）に供給される負極性スキャン信号の電圧（−Ｖｙ）を一つの電圧源から発生させる。
【００６１】
また、駆動部１０１は、プラズマディスプレイパネル１００のアドレス電極（Ｘ）にデータ電圧（Ｖｄ）のデータ信号を供給することができる。
【００６２】
また、スキャン電極（Ｙ）では、上昇ランプ（Ｒａｍｐ−ｕｐ）信号、下降ランプ（Ｒａｍｐ−ｄｏｗｎ）信号、負極性スキャン信号を供給して、またサステイン電圧（Ｖｓ）のサステイン信号を供給するのが望ましい。
【００６３】
また、駆動部１０１は、サステイン電極（Ｚ）にサステインバイアス電圧（Ｖｚ）及びサステイン信号を供給するのが望ましい。
【００６４】
このような、本発明のプラズマディスプレイ装置の動作の一例を添付された図３を結付して注意深くみれば次のようである。
【００６５】
図３は、本発明の一つの実施形態によるプラズマディスプレイ装置の動作の一例を詳しく説明するための図である。
【００６６】
図３を注意深くみれば、本発明の一つの実施形態によるプラズマディスプレイ装置が一サブフィールド内での使う駆動信号が示されている。
【００６７】
例えば、リセット期間のセットアップ期間ではスキャン電極（Ｙ）に電圧が漸進的に立ち上がりする上昇ランプ（Ｒａｍｐ−ｕｐ）信号を供給する。ここで、このような上昇ランプ信号はサステイン電圧（Ｖｓ）から立ち上がりすると仮定する時、このような上昇ランプ信号の最大電圧の大きさはＶｓ＋Ｖｙである。
【００６８】
このような、上昇ランプ信号によって放電セル内には弱い暗放電（Ｄａｒｋ Ｄｉｓｃｈａｒｇｅ）、すなわちセットアップ放電が起きる。このセットアップ放電によって放電セル内には適度な壁電荷（Ｗａｌｌ Ｃｈａｒｇｅ）が積もるようになる。
【００６９】
また、セットアップ期間以後のセッダウン期間では、スキャン電極（Ｙ）に上昇ランプ信号を供給した後、上昇ランプ信号のピーク電圧より低い所定の正極性電圧から電圧が漸進的に立下がる下降ランプ（Ｒａｍｐ−ｄｏｗｎ）信号を供給する。
【００７０】
ここで、下降ランプ信号の最大電圧の大きさは前述の上昇ランプ信号の電圧の大きさとおおよそ等しいＶｙである。
【００７１】
これによって、放電セル内で微弱な消去放電（Ｅｒａｓｅ Ｄｉｓｃｈａｒｇｅ）、すなわちセッダウン放電が発生する。
【００７２】
このセッダウン放電によって以前のセットアップ放電によって放電セル内に積もっていた壁電荷の一部が消去されて、放電セル内にはアドレス放電が安定するように起きることができるほどの壁電荷が均一に残留される。
【００７３】
このような、セットアップ期間とセッダウン期間を含むリセット期間以後のアドレス期間では、スキャン基準電圧（Ｖｓｃ）から立下がる負極性スキャン信号（Ｓｃａｎ）の電圧をスキャン電極（Ｙ）に供給する。
【００７４】
ここで、負極性スキャン信号の電圧は前述の上昇ランプ信号の最大電圧及び下降ランプ信号の最大電圧とおおよそ等しいＶｙである。
【００７５】
ここで、さらに望ましくはスキャン基準電圧（Ｖｓｃ）はグラウンドレベル（ＧＮＤ）の電圧とおおよそ等しい電圧である。すなわち負極性スキャン信号（Ｓｃａｎ）はグラウンドレベル（ＧＮＤ）の電圧から立下がるのである。
【００７６】
以上で説明した負極性スキャン信号の電圧と、上昇ランプ信号の電圧と、下降ランプ信号の電圧は一つの共通電圧源から発生するのである。
【００７７】
これによって、負極性スキャン信号の電圧と、上昇ランプ信号の電圧と、下降ランプ信号の電圧を発生させるための電圧発生回路をそれぞれ別に備えなくても良いから、本発明の一つの実施形態によるプラズマディスプレイ装置の全体駆動を単純化することができると共に製造単価を低めることができる。
【００７８】
また、負極性スキャン信号をグラウンドレベル（ＧＮＤ）の電圧から立下がるように設定することで、スキャン基準電圧（Ｖｓｃ）を発生させるまた他の電圧発生回路を別に備えなくても良いことで、本発明の一つの実施形態によるプラズマディスプレイ装置の全体駆動をさらに単純化することができるし共に製造単価をさらに低めることができる。
【００７９】
また、負極性スキャン信号の電圧（−Ｖｙ）をスキャン電極（Ｙ）に供給する時、ここに対応されるようにアドレス電極（Ｘ）にデータ信号の電圧（Ｖｄ）を供給することができる。
【００８０】
一方、アドレス期間でサステイン電極（Ｚ）の干渉による誤放電の発生を防止するために、アドレス期間でサステイン電極（Ｚ）にサステインバイアス電圧Ｖｚを供給するのが望ましい。
【００８１】
このような、アドレス期間では、負極性スキャン信号の電圧（−Ｖｙ）とデータ信号の電圧（Ｖｄ）の間の電圧差とリセット期間に生成された壁電荷による壁電圧が加わりながら、データ信号の電圧（Ｖｄ）が供給される放電セル内にはアドレス放電が発生される。
【００８２】
このような、アドレス放電によって選択された放電セル内にはサステイン信号のサステイン電圧（Ｖｓ）が供給される時放電が起きることができるようにする位の壁電荷が形成される。
【００８３】
このような、アドレス期間以後のサステイン期間では、スキャン電極（Ｙ）及び/またはサステイン電極（Ｚ）にサステイン信号（ＳＵＳ）を交互に供給することができる。
【００８４】
これによって、アドレス放電によって選択された放電セルは、放電セル内の壁電圧とサステイン信号（ＳＵＳ）のサステイン電圧（Ｖｓ）が加わりながら、毎サステイン信号（ＳＵＳ）が印加される時度にスキャン電極（Ｙ）とサステイン電極（Ｚ）の間にサステイン放電すなわち、表示放電が起きるようになる。
【００８５】
これによって、プラズマディスプレイパネル上に所定の映像が具現されるのである。
【００８６】
このような駆動信号を発生させるための本発明の一つの実施形態によるプラズマディスプレイ装置の駆動部の構成の一例を注意深くみれば次のようである。
【００８７】
図４は本発明の一つの実施形態によるプラズマディスプレイ装置の内で駆動部の構成の一例を説明するための図である。
【００８８】
図４を注意深くみれば、本発明の一つの実施形態によるプラズマディスプレイ装置の駆動部は、基底電圧供給制御部４１０、負極性スキャン電圧供給制御部４４０、下降ランプ供給制御部４３０、ブロッキング部４２０、上昇ランプ供給制御部４７０、スキャンドライブ集積回路部４５０及び経路選択部４６０を含むのが望ましい。
【００８９】
ここで、基底電圧供給制御部４１０は、基底電圧供給制御用スイッチ部（Ｓ４）を含み、このような基底電圧供給制御用スイッチ部（Ｓ４）を利用してスキャン電極（Ｙ）に供給される基底電圧（ＧＮＤ）を制御する。
【００９０】
負極性スキャン電圧供給制御部４４０は、負極性スキャン電圧供給制御用スイッチ部（Ｓ１０）を含み、このような負極性スキャン電圧供給制御用スイッチ部（Ｓ１０）を利用してスキャン電極（Ｙ）に供給される負極性スキャン電圧（−Ｖｙ）を制御する。
【００９１】
下降ランプ供給制御部４３０は、下降ランプ供給制御用スイッチ部（Ｓ９）と、このような下降ランプ供給制御用スイッチ部（Ｓ９）のゲート（Ｇａｔｅ）端子に繋がれる第２可変抵抗部（ＶＲ２）を含み、このような下降ランプ供給制御用スイッチ部（Ｓ９）と第２可変抵抗部（ＶＲ２）を利用してスキャン電極（Ｙ）に供給される下降ランプ（Ｒａｍｐ−ｕｐ）信号を制御する。
【００９２】
ブロッキング部４２０は、ブロッキングスイッチ部（Ｓ７）を含み、このようなブロッキングスイッチ部（Ｓ７）を利用して基底電圧供給制御部４１０から負極性スキャン電圧供給制御部４４０または下降ランプ供給制御部４３０の方向に流れる逆電流を遮断する。
【００９３】
上昇ランプ供給制御部４７０は負極性スキャン電圧（−Ｖｙ）で上昇ランプ信号を発生させて、このような上昇ランプ信号を制御する。
【００９４】
スキャンドライブ集積回路部４５０は、トップ（Ｔｏｐ）スイッチ部（Ｓ１１）とボトム（Ｂｏｔｔｏｍ）スイッチ部（Ｓ１２）を含み、このようなトップ（Ｔｏｐ）スイッチ部（Ｓ１１）とボトム（Ｂｏｔｔｏｍ）スイッチ部（Ｓ１２）の所定のスイチング（Ｓｗｉｔｃｈｉｎｇ）動作を通じて、基底電圧（ＧＮＤ）、負極性スキャン電圧（−Ｖｙ）、上昇ランプ（Ｒａｍｐ−ｕｐ）電圧及び下降ランプ（Ｒａｍｐ−ｄｏｗｎ）電圧をスキャン電極（Ｙ）で供給する。
【００９５】
また、トップスイッチ部（Ｓ１１）の他端とボトムスイッチ部（Ｓ１２）の一端は第６ ノード（ｎ６）でお互いに繋がれて、このようなトップスイッチ部（Ｓ１１）の他端とボトムスイッチ部（Ｓ１２）の一端間でスキャン電極（Ｙ）と接続する。
【００９６】
ここで、トップスイッチ部（Ｓ１１）の一端をスキャンドライブ集積回路部４５０の第１端とし、ボトムスイッチ部（Ｓ１２）の他端をスキャンドライブ集積回路部４５０の第２端と定義する。
【００９７】
経路選択部４６０は、経路選択用スイッチ部（Ｓ８）を含み、このような経路選択用スイッチ部（Ｓ８）を利用して、基底電圧、負極性スキャン電圧、上昇ランプ電圧及び下降ランプ電圧のスキャンドライブ集積回路部４５０への供給経路を選択する。
【００９８】
望ましくは、このような駆動部は、サステイン電圧供給制御部４００と、エネルギー回収回路部４８０をさらに含む。
【００９９】
ここで、サステイン電圧供給制御部４００は、サステイン電圧供給制御用スイッチ部（Ｓ３）を含み、サステイン電圧供給制御用スイッチ部（Ｓ３）を利用してスキャン電極（Ｙ）に供給されるサステイン電圧（Ｖｓ）を制御する。
【０１００】
エネルギー回収回路部４８０は、電圧貯蔵用キャパシター部（Ｃ１）、電圧供給用スイッチ部（Ｓ１）、電圧回収用スイッチ部（Ｓ２）、インダクター部（Ｌ）を含み、このような電圧貯蔵用キャパシター部（Ｃ１）、電圧供給用スイッチ部（Ｓ１）、電圧回収用スイッチ部（Ｓ２）、インダクター部（Ｌ）を利用して、スキャン電極（Ｙ）に電圧貯蔵用キャパシター部（Ｃ１）にあらかじめ貯蔵された電圧を共振を通じて供給して、スキャン電極（Ｙ）の無效電圧を共振を通じて電圧貯蔵用キャパシター部（Ｃ１）で回収する。
【０１０１】
ここで、上昇ランプ供給制御部４７０に対してより詳しく注意深くみれば次のようである。
【０１０２】
このような、上昇ランプ供給制御部４７０は、反転電圧貯蔵部４７３、反転電圧供給制御部４７２及び上昇ランプ発生部４７１を含むのが望ましい。
【０１０３】
ここで、反転電圧貯蔵部４７３は、反転電圧貯蔵用キャパシター部（Ｃ２）を含み、このような反転電圧貯蔵用キャパシター部（Ｃ２）を利用して反転された負極性スキャン電圧（−Ｖｙ）を貯蔵する。
【０１０４】
反転電圧供給制御部４７２は、反転電圧供給制御用スイッチ部（Ｓ６）を含み、このような反転電圧供給制御用スイッチ部（Ｓ６）を利用して反転電圧貯蔵部４７３の両端に反転された負極性スキャン電圧（−Ｖｙ）がかかるように制御する。
【０１０５】
上昇ランプ発生部４７１は、上昇ランプ発生用スイッチ部（Ｓ５）と、このような上昇ランプ発生用スイッチ部（Ｓ５）のゲート（Ｇａｔｅ）端子に繋がれる第１可変抵抗部（ＶＲ１）を含み、このような上昇ランプ発生用スイッチ部（Ｓ５）と第１可変抵抗部（ＶＲ１）を利用して、反転電圧貯蔵部４７３に貯蔵された電圧により上昇ランプ信号を発生させる。
【０１０６】
ここで、反転電圧貯蔵部４７３の他端は、ブロッキング部４２０の他端、下降ランプ供給制御部４３０の一端、負極性スキャン電圧発生部４４０の一端、経路選択部４６０の他端及びスキャンドライブ集積回路部４５０の第２端と、第２ノード（ｎ２）で共通繋がれるのが望ましい。
【０１０７】
また、反転電圧貯蔵部４７３の一端は、ブロッキング部４２０の一端、反転電圧供給制御部４７２の一端及び他端、上昇ランプ発生部４７１の一端及び基底電圧供給制御部４１０の一端と、第３ノード（ｎ３）で共通繋がれるのが望ましい。
【０１０８】
ここで特に、ブロッキング部４２０の一端、反転電圧供給制御部４７２の一端及び基底電圧供給制御部４１０の一端の連結端と反転電圧貯蔵部４７３の一端との間には、反転電圧貯蔵部４７３の一端からブロッキング部４２０の一端、反転電圧供給制御部４７２の一端及び基底電圧供給制御部４１０の一端に流れる逆電流を遮断するための制１逆電流防止部４７４をさらに備えることが望ましい。
【０１０９】
このような、第１逆電流防止部４７４は第１逆電流防止用ダイオード部（Ｄａ）を含むのが望ましい。
【０１１０】
これによって、ブロッキング部４２０の一端、反転電圧供給制御部４７２の一端及び基底電圧供給制御部４１０の一端の間には第1ノード（ｎ１）が形成される。
【０１１１】
また、反転電圧供給制御部４７２の他端と上昇ランプ発生部４７１の一端の連結端と、反転電圧貯蔵部４７３の一端との間には、反転電圧供給制御部４７２の他端及び上昇ランプ発生部４７１の一端から反転電圧貯蔵部４７３の一端に流れる逆電流を遮断するための第２逆電流防止部４７５をさらに備えることが望ましい。
【０１１２】
このような、第２逆電流防止部４７５は第２逆電流防止用ダイオード部（Ｄｂ）を含むのが望ましい。
【０１１３】
これによって、反転電圧供給制御部４７２の他端と上昇ランプ発生部４７１の一端の間には第４ノード（ｎ４）が形成される。
【０１１４】
また、第１逆電流防止部４７４と第２逆電流防止部４７５の間には第３ノード（ｎ３）が形成される。
【０１１５】
一方、上昇ランプ発生部４７１の他端は、経路選択部４６０の一端とスキャンドライブ集積回路部４５０の第１端と第５ノード（ｎ５）で共通繋がれて、また下降ランプ供給制御部４３０の他端、負極性スキャン電圧供給制御部４４０の他端及び基底電圧供給制御部４１０の他端は接地（ＧＮＤ）されるのが望ましい。
【０１１６】
このような、上昇ランプ供給制御部４７０のより詳細な動作を添付された図５ａ〜図５ｃを参照して注意深くみれば次のようである。
【０１１７】
図５ａ〜図５ｃは上昇ランプ供給制御部のより詳細な動作を説明するための図である。
【０１１８】
先ず、図５ａを注意深くみれば、負極性スキャン電圧供給制御部４４０がオン（Ｏｎ）になれば、負極性スキャン電圧源が供給する負極性スキャン電圧（−Ｖｙ）が負極性スキャン電圧供給制御部４４０を通じて第２ノード（ｎ２）に供給される。それにより、第２ノード（ｎ２）の電圧が負極性スキャン電圧（−Ｖｙ）に設定される。
【０１１９】
この時、基底電圧供給制御部４１０と、反転電圧供給制御部４７２と、上昇ランプ発生部４７１と、スキャンドライブ集積回路部４５０のトップスイッチ部（Ｓ１１）がオンになれば、このような基底電圧供給制御部４１０と、反転電圧供給制御部４７２と、上昇ランプ発生部４７１と、スキャンドライブ集積回路部４５０のトップスイッチ部（Ｓ１１）を通じてスキャン電極（Ｙ）にグラウンドレベル（ＧＮＤ）の電圧が供給されて、これによって第1ノード（ｎ１）の電圧がグラウンドレベル（ＧＮＤ）の電圧に設定される。
【０１２０】
これによって、図５ｂのようにブロッキング部４２０の両端間の電圧が反転された負極性スキャン電圧（−Ｖｙ）になって、ここで第1ノード（ｎ１）から第１逆電流防止部（Ｄａ）、第３ノード（ｎ３）を通じて反転電圧貯蔵部４７３に流れる電流パス（Ｐａｔｈ）が形成されることで、反転電圧貯蔵部４７３に反転された負極性スキャン電圧（Ｖｙ）が充電される。
【０１２１】
このような、図５ｂを注意深くみれば反転電圧供給制御部４７２がオンになる場合にだけ、反転電圧貯蔵部４７３に電圧が充電されることを分かる。
【０１２２】
次に、図５ｃを注意深くみれば、反転電圧貯蔵部４７３に反転された負極性スキャン電圧（Ｖｙ）が充電された状態で、上昇ランプ発生部４７１とスキャンドライブ集積回路部４５０のトップスイッチ部（Ｓ１１）がオンになる場合に、反転電圧貯蔵部４７３に貯蔵された電圧は上昇ランプ発生部４７１の上昇ランプ発生用スイッチ部（Ｓ５）を経てスキャン電極（Ｙ）に供給されるようになる。
【０１２３】
この時、上昇ランプ発生用スイッチ部（Ｓ５）のゲート端子に繋がれた可変抵抗部、即ち第１可変抵抗部（ＶＲ１）で所定の制御信号、すなわちセットアップ制御信号が入力されれば上昇ランプ発生用スイッチ部（Ｓ５）のチャンネル（Ｃｈａｎｎｅｌ）幅が第１可変抵抗部（ＶＲ１）によって調節される。
【０１２４】
これによって電圧が漸進的に立ち上がりする上昇ランプ（Ｒａｍｐ−ｕｐ）信号が発生されて、このように発生された上昇ランプ信号がスキャン電極（Ｙ）に供給されるのである。
【０１２５】
以上の図４及び図５ａ〜図５ｃの場合は、本発明の一つの実施形態によるプラズマディスプレイ装置の駆動部の一例のみを説明したが、本発明がこれらの図４及び図５ａ〜図５ｃに限定されるのではないことを明らかにしておく。
【０１２６】
以上で説明した本発明のプラズマディスプレイ装置の駆動部の動作の一例を注意深くみれば次のようである。
【０１２７】
図６は、本発明の一つの実施形態によるプラズマディスプレイ装置の内で駆動部の動作の一例を説明するための図である。ここで、図４の反転電圧貯蔵部４７３には反転された負極性スキャン電圧（Ｖｙ）が貯蔵されていると仮定する。
【０１２８】
図６を注意深くみれば、先に、図４の基底電圧供給制御部４１０、ブロッキング部４２０及び経路選択部４６０がオンになれば、プラズマディスプレイパネルのスキャン電極（Ｙ）に基底電圧が供給される。それにより、ｄ１期間のようにスキャン電極（Ｙ）の電圧が基底レベル（ＧＮＤ）の電圧になる。
【０１２９】
以後、基底電圧供給制御部４１０がオフされて、サステイン電圧供給制御部４００がオンになれば、スキャン電極（Ｙ）にサステイン信号の電圧（Ｖｓ）が供給される。それにより、ｄ２期間のようにスキャン電極（Ｙ）の電圧がサステイン電圧（Ｖｓ）まで立ち上がる。
【０１３０】
以後、前に説明した図５ｃと同様の方法によってスキャン電極（Ｙ）に上昇ランプ信号が供給される。
【０１３１】
それにより、ｄ３期間のようにスキャン電極（Ｙ）の電圧がサステイン電圧（Ｖｓ）からサステイン電圧（Ｖｓ）と反転された負極性スキャン電圧（Ｖｙ）の合（Ｖｓ＋Ｖｙ）まで漸進的に立ち上がりするようになる。
【０１３２】
以後、ｄ４期間では前に説明したｄ２期間と同様である。これによって重複される説明は略する。
【０１３３】
以後、基底電圧供給制御部４１０と、経路選択部（経路選択用スイッチ部Ｓ８）と、下降ランプ供給制御部４３０がオンになる。この時、負極性スキャン電圧源が供給する負極性スキャン電圧（−Ｖｙ）が下降ランプ供給制御部４３０の下降ランプ供給制御用スイッチ部（Ｓ９）を経てスキャン電極（Ｙ）に供給されるようになる。
【０１３４】
この時、下降ランプ供給制御用スイッチ部（Ｓ９）のゲート端子に繋がれた可変抵抗部、第２可変抵抗部（ＶＲ２）に所定の制御信号、すなわちセッダウン制御信号が入力されれば下降ランプ供給制御用スイッチ部（Ｓ９）のチャンネル（Ｃｈａｎｎｅｌ）幅が第２可変抵抗部（ＶＲ２）によって調節されて、これによって電圧が漸進的に立下がる下降ランプ（Ｒａｍｐ−ｄｏｗｎ）信号が発生されて、このように発生された下降ランプ信号がスキャン電極（Ｙ）に供給されるのである。
【０１３５】
これによって、ｄ５期間のようにスキャン電極（Ｙ）の電圧が漸進的に立下がるようになる。
【０１３６】
以後、ｄ６期間では前に説明した図５ａ乃至都５ｂの場合と等しい方法を通じて反転電圧貯蔵部４７３に反転された負極性スキャン電圧（Ｖｙ）が貯蔵される。
【０１３７】
共に、このようなｄ６期間ではスキャン電極（Ｙ）の電圧がグラウンドレベル（ＧＮＤ）を維持する。
【０１３８】
一方、このようなｄ６期間途中にｄ６´期間では、負極性スキャン電圧供給制御部４４０と、基底電圧供給制御部４１０と、反転電圧供給制御部４７２と、上昇ランプ発生部４７１と、スキャンドライブ集積回路部４５０のボトムスイッチ部（Ｓ１２）がオンになればスキャン電極（Ｙ）にグラウンドレベル（ＧＮＤ）の電圧から立下がる負極性スキャン信号（Ｓｃａｎ）が供給される。
【０１３９】
一方、前述したのようにアドレス期間でスキャン電極（Ｙ）の電圧をグラウンドレベル（ＧＮＤ）の電圧に設定して、負極性スキャン信号をこのようなグラウンドレベル（ＧＮＤ）の電圧から立下がるように設定すれば、アドレス期間で発生するノイズを低減させることができる。これに対して注意深くみれば次のようである。
【０１４０】
図７ａ乃至図７ｂは、本発明のプラズマディスプレイ装置でアドレス期間に発生するノイズが低減されることを説明するための図である。
【０１４１】
先ず、図７ａを注意深くみれば、アドレス期間でスキャン電極（Ｙ）に供給されるスキャン基準電圧（Ｖｓｃ）がグラウンドレベル（ＧＮＤ）以上の特定電圧の場合が示されてある。
【０１４２】
例えば、Ｙａスキャン電極にアドレス期間でスキャン信号が供給される時、ここに対応されるＸａアドレス電極にアドレス期間からデータ信号が供給されればアドレス放電が発生する。
【０１４３】
一方、このようなＹａスキャン電極と対応されない隣接した他のアドレス電極、例えばＸｂアドレス電極にもデータ信号が供給されるが、このようなＸｂアドレス電極にデータ信号が供給される時点でＹａスキャン電極には領域ＢのようにＸｂアドレス電極に供給されるデータ信号によるノイズ（Ｎｏｉｓｅ）が発生する。
【０１４４】
このような、ノイズはＹａスキャン電極とＸｂアドレス電極の間のカップルリング（Ｃｏｕｐｌｉｎｇ）によって発生することで、このようなノイズはその大きさ（Ｖｒ）が相対的に大きくて、これによって全体駆動を不安定にさせるだけでなく、深刻に駆動部の電気的損傷を誘発するなどの問題点を発生させる。
【０１４５】
次に、図７ｂを注意深くみれば、本発明のようにアドレス期間でスキャン電極（Ｙ）に供給されるスキャン基準電圧（Ｖｓｃ）がグラウンドレベル（ＧＮＤ）の場合が示されてある。すなわち、負極性スキャン信号はグラウンドレベル（ＧＮＤ）の電圧から立下がるのである。
【０１４６】
このような、場合にはアドレス期間で供給されるスキャン基準電圧（Ｖｓｃ）をグラウンドレベル（ＧＮＤ）の電圧に設定するから、隣接するスキャン電極（Ｙ）とアドレス電極（Ｘ）の間、例えばＹａスキャン電極とＸｂアドレス電極の間のカップルリングが発生してノイズが発生するとしても、このようなノイズ成分を接地（ＧＮＤ）に流れるようにする。
【０１４７】
これによって、アドレス期間でのノイズの発生が低減されるのである。
【図面の簡単な説明】
【０１４８】
【図１】本発明の一つの実施形態によるプラズマディスプレイ装置を示す図。
【図２ａ】本発明の一つの実施形態によるプラズマディスプレイ装置に含まれるプラズマディスプレイパネルの一例に対して説明するための図。
【図２ｂ】本発明の一つの実施形態によるプラズマディスプレイ装置に含まれるプラズマディスプレイパネルの一例に対して説明するための図。
【図３】本発明の一つの実施形態によるプラズマディスプレイ装置の動作の一例を詳しく説明するための図。
【図４】本発明の一つの実施形態によるプラズマディスプレイ装置の内で駆動部の構成の一例を説明するための図。
【図５ａ】上昇ランプ供給制御部のより詳細な動作を説明するための図。
【図５ｂ】上昇ランプ供給制御部のより詳細な動作を説明するための図。
【図５ｃ】上昇ランプ供給制御部のより詳細な動作を説明するための図。
【図６】本発明の一つの実施形態によるプラズマディスプレイ装置の内で駆動部の動作の一例を説明するための図。
【図７ａ】本発明の一つの実施形態によるプラズマディスプレイ装置でアドレス期間に発生するノイズが低減されることを説明するための図。
【図７ｂ】本発明の一つの実施形態によるプラズマディスプレイ装置でアドレス期間に発生するノイズが低減されることを説明するための図。
【図２ａ】
2007193297.tif 000003
【図２ｂ】
2007193297.tif 000004
【図１】
2007193297.tif 000005
【図３】
2007193297.tif 000006
【図４】
2007193297.tif 000007
【図５ａ】
2007193297.tif 000008
【図５ｂ】
2007193297.tif 000009
【図５ｃ】
2007193297.tif 000010
【図６】
2007193297.tif 000011
【図７ａ】
2007193297.tif 000012
【図７ｂ】
2007193297.tif 000013